【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】
複数のマークを備えた符号化パターンを有する製品であって、
前記マークのそれぞれが少なくとも２つの異なる値のうちの１つを表しており、前記符号化パターンが、また、複数の基準位置を備えており、前記複数のマークのそれぞれが前記複数の基準位置の１つに関連付けられ、前記各マークの値がその基準位置に対するその位置によって示されており、
前記符号化パターンが、ラスター線を有するラスターを備え、該ラスター線の交点が、前記マークの基準位置を規定することを特徴とする製品。
【請求項２】
前記各基準位置に、１つのマークが割り当てられている請求項１に記載の製品。
【請求項３】
略全てのマークが、その基準位置に対してずらした位置にある請求項１又は２に記載の製品。
【請求項４】
略全てのマークが、その基準位置に対して同じ距離だけずらした位置にある請求項３に記載の製品。
【請求項５】
各マークが、その基準位置に対して直交する４方向のうちの１つの方向にずらした位置にある請求項１〜４の何れか１つに記載の製品。
【請求項６】
前記ラスター線間の距離が、おおよそ２５０μｍから３００μｍの間である請求項１〜５の何れか１つに記載の製品。
【請求項７】
前記ラスター線の形状が、矩形グリッドである請求項１〜６の何れか１つに記載の製品。
【請求項８】
各マークが、前記ラスター線の１つに沿ってずらされている請求項１〜７の何れか１つに記載の製品。
【請求項９】
各マークが、ラスター線間の距離の１／４から１／８の距離だけ、その基準位置からずらされている請求項１〜８の何れか１つに記載の製品。
【請求項１０】
前記ラスターが仮想のものである請求項１〜９の何れか１つに記載の製品。
【請求項１１】
全ての前記マークが、おおよそ同じ外形を有している請求項１〜１０の何れか１つに記載の製品。
【請求項１２】
前記マークが、おおよそ円形、三角形又は矩形である請求項１〜１１の何れか１つに記載の製品。
【請求項１３】
前記マークの有効直径が、その基準位置に対する前記マークのずれ量のおおよそ５０％から２４０％である請求項４〜１２の何れか１つに記載の製品。
【請求項１４】
前記符号化パターンが光学的に読み取り可能なものである請求項１〜１３の何れか１つに記載の製品。
【請求項１５】
前記符号化パターンが赤外光により読み取り可能なものである請求項１４に記載の製品。
【請求項１６】
前記製品が、前記符号化パターンを備えた表面を有している請求項１〜１５の何れか１つに記載の製品。
【請求項１７】
前記マークが、前記符号化パターンを備える表面の０．２５％から２０％を構成する請求項１〜１６の何れか１つに記載の製品。
【請求項１８】
前記符号化パターンが、前記製品上の複数の位置を符号化する位置符号化パターンであり、該各位置が、複数のマークによって符号化されている請求項１〜１７の何れか１つに記載の製品。
【請求項１９】
前記製品が、紙のシートである請求項１〜１８の何れか１つに記載の製品。
【請求項２０】
複数のマークを備えた符号化パターンの使用法であって、
前記マークのそれぞれが少なくとも２つの異なる値のうちの１つを表しており、前記符号化パターンが、また、複数の基準位置を備えており、前記複数のマークのそれぞれが前記基準位置に関連付けられ、前記各マークの値がその基準位置に対するその位置によって決定されていることを特徴とする符号化パターンの使用法。
【請求項２１】
符号化パターンの一部分の中の少なくとも１つのマークの値を決定する方法であって、
前記符号化パターンが、複数のマークを備え、前記マークのそれぞれが、少なくとも２つの異なる値のうちの１つを表しており、前記複数のマークの各々が、複数の基準位置のうちの各々の基準位置からずらした位置にあり、前記マークの値が、前記基準位置に対するマークの位置によって表されており、前記基準位置の各々が、ラスターの中のラスター線によって規定されており、前記ラスターが、複数のラスター点で交わる複数のラスター線を有しかつ前記複数のマークによって識別可能であり、
前記方法は、
前記符号化パターンの一部分の中の複数のマークを特定し、
前記特定されたマークを利用して前記ラスターを検出し、
前記検出されたラスターを利用して前記少なくとも１つのマークの位置を決定することを特徴とする方法。
【請求項２２】
前記マークの位置の決定は、前記検出されたラスターにおけるラスター点で交わる前記複数のラスター線に沿って前記マークのサーチを行うことを含む請求項２１に記載の方法。
【請求項２３】
前記マークの位置の決定は、前記検出されたラスターにおけるラスター点から所定の方向に沿って前記マークのサーチを行うことを含む請求項２１に記載の方法。
【請求項２４】
前記ラスターの検出は、マーク間の距離を決定することを含む請求項２１に記載の方法。
【請求項２５】
前記ラスターの検出は、前記符号化パターンの一部分の中の２つの前記マーク間の最小の距離を決定することを含む請求項２１に記載の方法。
【請求項２６】
前記ラスターが仮想のものである請求項２１に記載の方法。
【請求項２７】
何れのラスター線に沿って前記マークがずらされているかを決定することによって、前記マークの各々の値を決定することをさらに含む請求項２１に記載の方法。
【請求項２８】
符号化パターンの一部分の中の少なくとも１つのマークの値を決定する装置であって、
前記符号化パターンが、複数のマークを備え、前記マークのそれぞれが、少なくとも２つの異なる値のうちの１つを表しており、前記複数のマークの各々が、複数の基準位置のうちの各々の基準位置からずらした位置にあり、前記マークの値が、前記基準位置に対するマークの位置によって表されており、前記基準位置の各々が、ラスターの中のラスター線によって規定されており、前記ラスターが、複数のラスター点で交わる複数のラスター線を有しかつ前記複数のマークによって識別可能であり、
前記装置は、プロセッサを備えており、
前記プロセッサは、
前記符号化パターンの一部分の中の複数のマークを特定し、
前記特定されたマークを利用して前記ラスターを検出し、
前記検出されたラスターを利用して前記少なくとも１つのマークの位置を決定するように構成されていることを特徴とする装置。
【請求項２９】
前記プロセッサは、前記マークの位置の決定において、前記検出されたラスターにおけるラスター点で交わる前記複数のラスター線に沿って前記マークのサーチを行うように構成されている請求項２８に記載の装置。
【請求項３０】
前記プロセッサは、前記マークの位置の決定において、前記検出されたラスターにおけるラスター点から所定の方向に沿って前記マークのサーチを行うように構成されている請求項２８に記載の装置。
【請求項３１】
前記プロセッサは、前記ラスターの検出において、マーク間の距離を決定するように構成されている請求項２８に記載の装置。
【請求項３２】
前記プロセッサは、前記ラスターの検出において、前記符号化パターンの一部分の中の２つの前記マーク間の最小の距離を決定するように構成されている請求項２８に記載の装置。
【請求項３３】
前記ラスターが仮想のものである請求項２８に記載の装置。
【請求項３４】
前記プロセッサは、何れのラスター線に沿って前記マークがずらされているかを決定することによって、前記マークの各々の値を決定するように構成されている請求項２８に記載の装置。
【請求項３５】
前記ラスターは、前記マーク自体によって識別できる請求項１に記載の製品。
【請求項３６】
前記符号化パターンには、前記基準位置を規定するための基準位置が印されていない請求項１に記載の製品。
【請求項３７】
前記符号化パターンは、手書きの書き込みの電子的な記録に適したものである請求項１に記載の製品。
【請求項３８】
前記位置の各々は、複数のマークの二次元的な配列によって符号化されている請求項１に記載の製品。
【請求項３９】
第１の位置を符号化する前記複数のマークのうちの少なくとも一部が、第２の位置の符号化にも使用される請求項１に記載の製品。
【請求項４０】
全書き込み表面上の部分表面の中の前記位置がこの部分表面上の前記複数のマークによって一意に決定されるように、前記位置符号化パターンが配列されている請求項１に記載の製品。
【請求項４１】
前記位置符号化パターンは、循環数字列に基づいており、
前記循環数字列は、その数字列内で、第１の所定長さの部分数字列が１度しか現れないという特性を有する請求項１に記載の製品。
【請求項４２】
所定数のマークの前記値を決定し、前記値に基づいて位置を計算する請求項２１に記載の方法。
【請求項４３】
前記所定数のマークの前記値の各々を少なくとも２つの桁に分けて、第１の桁のセットと第２の桁のセットを生成し、
前記第１の桁のセットと第２の桁のセットに基づいて、第１の座標と第２の座標をそれぞれ計算する請求項４２に記載の方法。
【請求項４４】
前記プロセッサは、所定数のマークの前記値を決定し、前記値に基づいて位置を計算するように構成されている請求項２８に記載の装置。
【請求項４５】
前記プロセッサは、
前記所定数のマークの前記値の各々を少なくとも２つの桁に分けて、第１の桁のセットと第２の桁のセットを生成し、
前記第１の桁のセットと第２の桁のセットに基づいて、第１の座標と第２の座標をそれぞれ計算するように構成されている請求項４４に記載の装置。